(57)【要約】      （修正有）【課題】患者用の一般呼出と、看護師等医療スタッフからのスタッフ呼出を、スタッフ呼出ボタンなしで対応できるようにしたナースコールシステムを提供する。【解決手段】ナースコール子機に、患者用の一般呼出ボタンと、看護師等の病院スタッフの腕などに装着した無線タグから発信される識別信号を読み取るためのタグリーダーとを設け、前記一般呼出ボタンを操作することにより一般呼出信号を送信するとともに、前記無線タグをタグリーダーに近接させることにより、スタッフ呼出信号を送信するようにした。【選択図】図２
2006325784.tif 000002
【特許請求の範囲】
【請求項１】
ナースステーションなどに設置され、病室にいる患者と相互に呼出通話が可能なナースコールナースコール親機と、病室の出入口に設置され、患者からの呼出時に点灯または点滅する代表灯を有し、患者の呼出状態を表示する個別廊下灯と、病室などに設置され、前記ナースコール親機と相互に呼出、通話ができるナースコール子機とを相互に有線で接続して構成したナースコールシステムにおいて、前記ナースコール子機は、患者用の一般呼出ボタンと、病院スタッフの手指などに装着した無線タグから発信される識別信号を読取るためのタグリーダーとを有し、前記一般呼出ボタンを操作することにより一般呼出信号を送信するとともに、前記無線タグをリーダー手段に近接させることにより、スタッフ呼出信号を送信するようにしたことを特徴とするナースコールシステム。
【請求項２】
前記ナースコール子機には、一般呼出状態とスタッフ呼出状態を区別して確認できる呼出確認灯を設けたことを特徴とする請求項１記載のナースコールシステム。
【発明の詳細な説明】
【技術分野】
【０００１】
本発明は、病院や介護施設で使用されるナースコールシステムに係わり、特に、患者のベッドサイドに設置されるナースコール子機において、患者からの一般呼出と、看護師等医療スタッフからのスタッフ呼出を、スタッフ呼出ボタンなしで対応できるようにしたナースコールシステムに関する。
【背景技術】
【０００２】
ナースコール子機においては、患者専用の一般呼出ボタンだけしかないものもあるが、看護師等が患者のベッドサイドにおける看護処置中に、医療スタッフの応援が必要になることもあるので、医療スタッフ専用のスタッフ呼出ボタンがあると便利である。
【０００３】
特許文献１には、この種のナースコール装置が記載されている。
このように、1つのナースコール子機のなかに、患者用の一般呼出ボタンと医療スタッフ用のスタッフ呼出ボタンの２種類のボタンが混在していると、患者が誤って、あるいは無知により、医療スタッフ用の呼出ボタンを操作する可能性は避けられない。
一般的には、従来、このような誤操作を低減するため、スタッフ呼出ボタンは保護カバーで保護されている。
【０００４】
カバー付きの１例として、非特許文献１を紹介する。
この非特許文献１の３６０ページに示されているハンド型子機接続プレート（Ｗ１−Ａ）の図面にある、スタッフ呼出押ボタンがそれである。
同ボタンの規格欄を見ると、スタッフ専用呼出押ボタン、ノンロックカバー付（“スタッフ専用”文字付）ということがわかる。
【０００５】
スタッフ呼出ボタンは、公知例にあるように、カバー付が標準仕様とされているが、患者、特に子供やその他の一部の患者が誤って、あるいはいたずらで、ボタンカバーを開きスタッフ呼出ボタンを押すというトラブルが多く、対応に困っている現場が多い。
【０００６】
【特許文献１】特開２００４−２８２５９７
【非特許文献１】電気設備工事標準図  ２００１年版（厚生労働省健康局国立病院部監修）
【発明の開示】
【発明が解決しようとする課題】
【０００７】
前記のように、患者用呼出ボタンとスタッフ呼出ボタンの２種類があると、どちらを押せばいいか選択に迷ったり、あるいは、間違って、他の意図しないほうの呼出ボタンを押してしまうという弊害が生じる。本発明は、このような問題を防止することを課題とする。
【課題を解決するための手段】
【０００８】
本発明においては、ナースコール子機に、患者専用の一般呼出ボタンと、看護師等の病院スタッフの腕などに装着した無線タグから発信される識別信号を読み取るためのタグリーダーとを設け、前記一般呼出ボタンを操作することにより一般呼出信号を送信するとともに、前記無線タグをタグリーダーに近接させることにより、スタッフ呼出信号を送信するようにしたことを特徴とする。
【発明の効果】
【０００９】
本発明によれば、呼出ボタンは1種類しかないため、２種類の呼出ボタンがあるときのように、どちらをおせばよいか迷うことはない。また、医療スタッフ以外の人がいたずらでスタッフ呼出をするというような問題を解消できる。
【発明を実施するための最良の形態】
【００１０】
以下、本発明に係る実施形態を添付図面に従って説明する。
図1に示すように、本発明のナースコールシステムの全体構成は、病院のナースセンター等に配置されるナースコール親機１、ナースコール制御機２、各病室の出入り口に設置される個別廊下灯３、患者のベッドサイドに設置されるナースコール子機４とを相互に有線で接続して構成される通有の構成であり、ナースコール制御器２には、さらに、コードレス主装置５を介して無線基地局６が接続されている。７は、無線基地局６との間で相互に無線で送受信できる携帯端末であり、看護師等の医療スタッフが携帯するのが一般的である。
【００１１】
次に、全体のナースコール動作を図１に従って説明する。
ナースコール子機４は、通常は、患者のベッドサイドの壁面あるいはコンソールに組み込まれて使用される。図において、８は受話用のスピーカ、９は送話用のマイク、１０は患者が看護師等を呼出すときに使用する一般呼出ボタン、１１はタグリーダーである。ここで、タクリーダーとしては、無線式であればよく、光式、電波式を問わない。
【００１２】
ところで、一般呼出ボタン１０を押すと、呼出信号が廊下灯３、ナースコール制御機２を介して、ナースコール親機１及びコードレス主装置５、無線基地局６、看護師等が携帯する携帯端末７に送られる。
【００１３】
その結果、個別廊下灯３の代表灯（図示せず）、個別表示灯（図示せず）が点灯、または点滅すると共に、ナースコール親機１および携帯端末７から呼出音がなり、呼出状態が電子的、すなわち、ＬＥＤや液晶画面に表示される。
【００１４】
この呼出状態で、ナースコール親機１または携帯端末７のいずれかで応答操作すると、ナースコール親機１または携帯端末７とナースコール子機４との間の通話路が閉成され、相互に通話ができる。個別廊下灯３は、通話開始に伴い、その代表灯および個別表示灯の表示が消える。
【００１５】
ナースコール子機４は、前述のようにタグリーダー１１を具備しており、このタグリーダー１１に、後述する識別タグを接近させると、これを検知するとともに、ナースコール子機４からスタッフ呼出信号が発生する。
【００１６】
このスタッフ呼出信号は前述した一般呼出信号と同一の経路で個別廊下灯３、ナースコール制御機２、ナースコール親機１、コードレス主装置５、無線基地局６、携帯端末７に送られ、ナースコール親機１および携帯端末７からスタッフ呼出音が鳴り、スタッフ呼出状態が表示される。スタッフ呼出音およびスタッフ呼出状態表示は、前述の一般呼出と区別できる音および表示とする。
【００１７】
図２は、本発明の１実施例における、ナースコール子機４および個別廊下灯３の部分のブロック図であり、このブロック図でナースコールシステムの呼出動作を説明する。
図において１２は看護師等の医療スタッフの手首などに装着して使用できる無線タグであり、バーコードラベル、ＩＣタグ、ＲＦＩＤチップなどで対応できる。１１は、この無線タグ１２を近接させることにより、無線タグ１２の検知してタグデータを読み取ることのできるタグリーダーであり、呼出制御部１３に接続されている。
【００１８】
呼出制御部１３には、一般呼出ボタン１０、呼出確認灯（一般呼出確認灯１４ａ、スタッフ呼出確認灯１４ｂ）が接続されている。本実施例では、呼出確認灯１４は、２色ＬＥＤで構成され、一般呼出時は青色、スタッフ呼出時は赤色で点灯する。
なお、呼出確認灯１４としては、独立した２個のＬＥＤを使用することもできる。
【００１９】
１５は通話制御部であり、前述したスピーカ８およびマイク９が接続されている。
通話制御部１５および呼出制御部１３はそれぞれ入出力インターフェース１６を介して個別廊下灯３の回線インターフェース１７に接続されている。
【００２０】
個別廊下灯３の制御部１８は、前記した回線インターフェース１７、代表灯１９、個別表示灯２０および通信インターフェース２１に接続されるとともに、通信インターフェース２１を介してナースコール制御機２に接続される。
【００２１】
次に、呼出動作について、図２で説明する。
ナースコール子機４の呼出制御部１３は、タグリーダー１１で読取った無線タグ１２の識別信号をスタッフ呼出信号に変換する。他方、一般呼出ボタンの押圧信号を受信すると、これを、一般呼出信号に変換する。
【００２２】
次に、一般呼出信号およびスタッフ呼出信号は、呼出制御部内において、それぞれ、定められた規定の電圧に変換後、入出力インターフェース１６を介して、個別廊下灯３の回線インターフェース１７へ送出される。
【００２３】
同時に、呼出制御部１３は、受信した呼出信号の種別に対応して呼出確認灯１４を点灯させる。すなわち、スタッフ呼出の場合は、赤色のスタッフ呼出確認灯１４ｂ、一般呼出の場合は、青色の一般呼出確認灯１４ａを点灯させる。
【００２４】
個別廊下灯３は、ナースコール子機４から、回線インターフェース１７を介して、一般呼出信号またはスタッフ呼出信号を受信すると、制御部１８の制御により、代表灯１９および呼出したナースコール子機４に該当する個別表示灯２０を点灯または点滅させる。
【００２５】
同時に、ナースコール制御機２に対し、通信インターフェース２１を介して、呼出信号を送信する。呼出信号に含まれる情報には、呼出したナースコール子機の識別番号とともに、一般呼出とスタッフ呼出とを区別するための呼出種別信号が含まれる。
【００２６】
ナースコール制御機２は、このような呼出信号を受信解読し、その結果に対応して、ナースコール親機１、コードレス主装置５を所定のプログラムにより制御し、呼出動作を実行させる。
【００２７】
なお、実施例においては、無線タグは、スタッフであるかどうか区別できればよく、各医療スタッフは共通の無線タグを使用することができる。
【００２８】
当然であるが、医療スタッフ別の識別コードを有する無線タグを使用すれば、スタッフ呼出者をナースコール親機または携帯端末に表示させるナースコールシステムを構成することは、当業者であれば、本発明をもとに容易にできる。
【図面の簡単な説明】
【００２９】
【図１】本発明によるナースコールシステムの１実施例を示す構成図。
【図２】本発明の１実施例における個別廊下灯、ナースコール子機部のブロック図。
【符号の説明】
【００３０】
１・・・ナースコール親機
２・・・ナースコール制御機
３・・・個別廊下灯
４・・・ナースコール子機
５・・・コードレス主装置
６・・・無線基地局
７・・・携帯端末
８・・・スピーカ
９・・・マイク
１０・・・一般呼出ボタン
１１・・・タグリーダー
１２・・・無線タグ
１３・・・呼出制御部
１４・・・呼出確認灯
１４ａ・・一般呼出確認灯
１４ｂ・・スタッフ呼出確認灯
１５・・・通話制御部
１６・・・入出力インターフェース
１７・・・回線インターフェース
１８・・・制御部
１９・・・代表灯
２０・・・個別表示灯
２１・・・通信インターフェース
【図１】
2006325784.tif 000003
【図２】
2006325784.tif 000004